(57)【特許請求の範囲】
【請求項１】
梁勝ち梁部材の端部の上面及び下面から柱部材が垂直に立設して接合されており、梁勝ち梁部材の端部の少なくとも一方の側面から横方向梁部材が垂直に延設して接合されており、且つ梁勝ち梁部材の端部の端面から継足し梁部材が直線状に延設して接合されている、梁勝ち接合部における柱梁接合構造であって、
前記梁勝ち梁部材の端部に形成された、当該端部を上下方向に貫通するパイプ嵌込み孔と、該パイプ嵌込み孔に埋め込まれた、ボルト挿入孔及びボルト螺着孔を周面に備えるジョイントパイプと、該ジョイントパイプの前記ボルト挿入孔に挿通された状態で前記梁勝ち梁部材の端部を横方向に貫通して設けられた長ボルト部材を用いて、前記梁勝ち梁部材の端部の側面に締着固定された側面接合金物と、前記ジョイントパイプの前記ボルト螺着孔に先端雄ネジ部が螺着されるボルト部材を用いて、前記梁勝ち梁部材の端部の端面に締着固定された端面接合金物と、前記ジョイントパイプの開口端面を介して前記ジョイントパイプに挿入装着されて、先端側部分が前記梁勝ち梁部材の端部の上面及び下面から突出した状態で固定された上下一対の柱接合棒状金物とを含んで構成され、
前記側面接合金物に、前記横方向梁部材の端面に形成された接合溝を嵌め込んで、ドリフトピンを用いて前記横方向梁部材が前記梁勝ち梁部材の端部の側面に接合固定されており、前記端面接合金物に、前記継足し梁部材の端面に形成された接合溝を嵌め込んで、ドリフトピンを用いて前記継足し梁部材が前記梁勝ち梁部材の端部の端面に接合固定されており、前記柱接合棒状金物の先端側部分に、前記柱部材の端面に形成された嵌合孔を嵌め込んで、ドリフトピンを用いて前記柱部材が前記梁勝ち梁部材の端部の上面及び下面に接合固定されており、
前記ジョイントパイプは、前記開口端面を前記梁勝ち梁部材の端部の上面及び下面と面一に配置した状態で、前記パイプ嵌込み孔に埋め込まれており、
前記柱接合棒状金物の前記ジョイントパイプに挿入装着された部分には、前記ジョイントパイプの前記ボルト挿入孔や前記ボルト螺着孔と合致する位置に、重ね合せボルト挿入孔が設けられており、前記側面接合金物や前記端面接合金物を前記梁勝ち梁部材の端部に接合固定する前記長ボルト部材や前記ボルト部材を用いて、前記柱接合棒状金物が、先端側部分を前記梁勝ち梁部材の端部の上面及び下面から突出させた状態で前記ジョイントパイプに固定されている梁勝ち接合部における柱梁接合構造。
【請求項２】
前記側面接合金物及び前記端面接合金物が、略コの字断面形状を有するように加工されたプレート状の接合金物である請求項１記載の梁勝ち接合部における柱梁接合構造。
【請求項３】
前記ボルト挿入孔と前記ボルト螺着孔とが、前記ジョイントパイプの軸方向の位置をずらして前記ジョイントパイプの周面に形成されている請求項１又は２記載の梁勝ち接合部における柱梁接合構造。
【発明の詳細な説明】
【技術分野】
【０００１】
本発明は、梁勝ち接合部における柱梁接合構造に関し、特に梁勝ち梁部材の端部の上面及び下面から柱部材が垂直に立設して接合されていると共に、梁勝ち梁部材の端部から他の梁部材が延設して接合されている梁勝ち接合部における柱梁接合構造に関する。
【背景技術】
【０００２】
例えば木造住宅建築物等の木造の建物においては、建物の骨組構造を構成する柱部材と梁部材との接合部は、柱部材を分断することなく1本物として通して、これの側面に接合金物等を介して梁部材が接合される、柱勝ち接合部とするのが一般的であるが、近年、例えば片持ち張り出しバルコニーや、オーバーハング部を形成するための柱部材と梁部材との接合部として、梁部材を挟んだ上下で柱部材を分断して、梁部材の端部の上面及び／又は下面から柱部材を垂直に立設させた、梁勝ち接合部が採用される場合がある（例えば、特許文献１、特許文献２参照）。
【０００３】
このような梁勝ち接合部における柱梁接合構造では、柱部材の端面から突出させた棒状の接合金物を、梁勝ち梁部材を貫通させて梁部材の上面に締着固定したり（特許文献１参照）、梁勝ち梁部材の内部に挿入配置して固定することで（特許文献２参照）、柱部材を梁勝ち梁部材に接合するようになっている。また、梁勝ち梁部材の側面や端面に、ボルト部材を用いて例えば略コの字断面形状を有するプレート状の接合金物を取り付けておき、この接合金物の張り出しプレート部に、他の梁部材の端面に形成された接合溝を嵌め込んでドリフトピンを用いて固定することで、当該他の梁部材を梁勝ち梁部材に接合するようになっている。
【先行技術文献】
【特許文献】
【０００４】
【特許文献１】特開２００６−２３３４９５号公報
【特許文献２】特開２００９−６８２９３号公報
【発明の概要】
【発明が解決しようとする課題】
【０００５】
しかしながら、特許文献１や特許文献２に記載の梁勝ち接合部における柱梁接合構造では、柱部材と梁勝ち梁部材との接合は、柱部材に予め取り付けられた柱側の金物と、梁勝ち梁部材に予め取り付けられた梁側の金物とを、建設現場において互いに接合固定する必要があるため、これらの接合金物に製作誤差や取付け誤差があると、建設現場でこれらの誤差を調整しながら柱部材と梁部材とを接合する作業に多くの手間を要することになる。
【０００６】
特に、梁勝ち梁部材の端部の上面及び／又は下面から柱部材が垂直に立設して接合されると共に、梁勝ち梁部材の端部の少なくとも一方の側面から横方向梁部材が垂直に延設して接合され、且つ梁勝ち梁部材の端部の端面から継足し梁部材が直線状に延設して接合される梁勝ち接合部においては、これらの部材を接合させるための接合金物を、多数用いる必要を生じて金物が錯綜することから、柱部材と梁部材とを接合する作業にさらに多くの手間を要することになる。
【０００７】
したがって、柱部材と横方向梁部材と継足し梁部材とが接合される梁勝ち梁部材の端部に、予め工場等において殆どの接合金物を容易に且つ精度良く取り付けておくことを可能にし、建設現場では、例えば接合される柱部材や横方向梁部材や継足し梁部材部材を位置決めした後にドリフトピンを打ち込むだけの簡易な作業によって、多くの手間を要することなく梁勝ち接合部を形成することを可能にする、新規な柱梁接合構造の開発が望まれている。
【０００８】
本発明は、柱部材と横方向梁部材と継足し梁部材とが接合される梁勝ち梁部材の端部に、予め工場等において殆どの接合金物を容易に且つ精度良く取り付けておくことができ、建設現場では、設置した梁勝ち梁部材に対して柱部材や横方向梁部材や継足し梁部材部材を位置決めした後に、ドリフトピンを打ち込むだけの簡易な作業によって、多くの手間を要することなく、品質の良い梁勝ち接合部を効率良く形成することのできる梁勝ち接合部における柱梁接合構造を提供することを目的とする。
【課題を解決するための手段】
【０００９】
本発明は、梁勝ち梁部材の端部の上面及び下面から柱部材が垂直に立設して接合されており、梁勝ち梁部材の端部の少なくとも一方の側面から横方向梁部材が垂直に延設して接合されており、且つ梁勝ち梁部材の端部の端面から継足し梁部材が直線状に延設して接合されている、梁勝ち接合部における柱梁接合構造であって、前記梁勝ち梁部材の端部に形成された、当該端部を上下方向に貫通するパイプ嵌込み孔と、該パイプ嵌込み孔に埋め込まれた、ボルト挿入孔及びボルト螺着孔を周面に備えるジョイントパイプと、該ジョイントパイプの前記ボルト挿入孔に挿通された状態で前記梁勝ち梁部材の端部を横方向に貫通して設けられた長ボルト部材を用いて、前記梁勝ち梁部材の端部の側面に締着固定された側面接合金物と、前記ジョイントパイプの前記ボルト螺着孔に先端雄ネジ部が螺着されるボルト部材を用いて、前記梁勝ち梁部材の端部の端面に締着固定された端面接合金物と、前記ジョイントパイプの開口端面を介して前記ジョイントパイプに挿入装着されて、先端側部分が前記梁勝ち梁部材の端部の上面及び下面から突出した状態で固定された上下一対の柱接合棒状金物とを含んで構成され、前記側面接合金物に、前記横方向梁部材の端面に形成された接合溝を嵌め込んで、ドリフトピンを用いて前記横方向梁部材が前記梁勝ち梁部材の端部の側面に接合固定されており、前記端面接合金物に、前記継足し梁部材の端面に形成された接合溝を嵌め込んで、ドリフトピンを用いて前記継足し梁部材が前記梁勝ち梁部材の端部の端面に接合固定されており、前記柱接合棒状金物の先端側部分に、前記柱部材の端面に形成された嵌合孔を嵌め込んで、ドリフトピンを用いて前記柱部材が前記梁勝ち梁部材の端部の上面及び下面に接合固定されており、前記ジョイントパイプは、前記開口端面を前記梁勝ち梁部材の端部の上面及び下面と面一に配置した状態で、前記パイプ嵌込み孔に埋め込まれており、前記柱接合棒状金物の前記ジョイントパイプに挿入装着された部分には、前記ジョイントパイプの前記ボルト挿入孔や前記ボルト螺着孔と合致する位置に、重ね合せボルト挿入孔が設けられており、前記側面接合金物や前記端面接合金物を前記梁勝ち梁部材の端部に接合固定する前記長ボルト部材や前記ボルト部材を用いて、前記柱接合棒状金物が、先端側部分を前記梁勝ち梁部材の端部の上面及び下面から突出させた状態で前記ジョイントパイプに固定されている梁勝ち接合部における柱梁接合構造を提供することにより、上記目的を達成したものである。
【００１２】
さらに、本発明の梁勝ち接合部における柱梁接合構造は、前記側面接合金物及び前記端面接合金物が、略コの字断面形状を有するように加工されたプレート状の接合金物であることが好ましい。
【００１３】
さらにまた、本発明の梁勝ち接合部における柱梁接合構造は、前記ボルト挿入孔と前記ボルト螺着孔とが、前記ジョイントパイプの軸方向の位置をずらして前記ジョイントパイプの周面に形成されていることが好ましい。
【発明の効果】
【００１４】
本発明の梁勝ち接合部における柱梁接合構造によれば、柱部材と横方向梁部材と継足し梁部材とが接合される梁勝ち梁部材の端部に、予め工場等において殆どの接合金物を容易に且つ精度良く取り付けておくことができ、建設現場では、設置した梁勝ち梁部材に対して柱部材や横方向梁部材や継足し梁部材部材を位置決めした後に、ドリフトピンを打ち込むだけの簡易な作業によって、多くの手間を要することなく、品質の良い梁勝ち接合部を効率良く形成することができる。
【図面の簡単な説明】
【００１５】
【図１】本発明の好ましい一実施形態に係る梁勝ち接合部における柱梁接合構造を説明する、柱部材を分解した状態で示す斜視図である。
【図２】本発明の好ましい一実施形態に係る梁勝ち接合部における柱梁接合構造を説明する、各接合金物を透視した状態で示す斜視図である。
【図３】本発明の好ましい一実施形態に係る梁勝ち接合部における柱梁接合構造を説明する分解斜視図である。
【図４】梁勝ち梁部材の端部にジョイントパイプを取り付けるための構成を説明する分解斜視図である。
【図５】ジョイントパイプを介して梁勝ち梁部材の端部に柱接合棒状金物を取り付けるための構成を説明する、ジョイントパイプを透視した状態で示す分解斜視図である。
【図６】梁勝ち梁部材の端部に側面接合金物や端面接合金物を取り付けるための構成を説明する、ジョイントパイプを透視した状態で示す分解斜視図である。
【発明を実施するための形態】
【００１６】
図１及び図２に示す本発明の好ましい一実施形態に係る梁勝ち接合部における柱梁接合構造１０は、例えば木造住宅建築物において、例えば片持ち張り出しバルコニーや、オーバーハング部を設けるための、柱部材１１，１２と梁部材１３，１４，１５，１６との接合部として、梁勝ち梁部材１３を挟んだ上下で柱部材１１，１２を分断して、梁勝ち梁部材１３の端部１３ａの上面及び下面から柱部材１１，１２を垂直に立設させると共に、梁勝ち梁部材１３の端部１３ａの両側の側面から一対の横方向梁部材１４，１５を各々垂直横方向に延設させ、且つ梁勝ち梁部材１３の端部１３ａの端面から継足し梁部材１６を直線状に延設させることで構成される梁勝ち接合部２０を、工場等において梁勝ち梁部材１３に予め取り付けられた複数の接合金物１９，２３，２５，２６を介して、建設現場では多くの手間を要することなく、容易に且つスムーズに形成できるようにする接合構造として採用されたものである。
【００１７】
すなわち、本実形態の梁勝ち接合部における柱梁接合構造１０は、図３に示すように、ドリフトピン２１を除く全ての接合金物１９，２３，２５，２６を、予め工場等において主梁部材１３の端部１３ａに容易に且つ精度良く取り付けておき、建設現場では、設置した梁勝ち梁部材１３の端部１３ａに柱部材１１，１２や一対の横方向梁部材１４，１５や継足し梁部材１６を位置決めした後に、ドリフトピン２１を打ち込むだけの簡易な作業によって、品質の良い梁勝ち接合部２０を効率良く形成できるようになっている。
【００１８】
そして、本実施形態の梁勝ち接合部における柱梁接合構造１０は、図１〜図３に示すように、梁勝ち梁部材１３の端部１３ａの上面及び下面から柱部材１１，１２が垂直に立設して接合されており、梁勝ち梁部材１３の端部１３ａの少なくとも一方の側面（本実施形態では、両側の側面）から横方向梁部材１４，１５が垂直横方向に延設して接合されており、且つ梁勝ち梁部材１３の端部１３ａの端面から継足し梁部材１６が直線状に延設して接合されている、梁勝ち接合部２０の接合構造であって、梁勝ち梁部材１３の端部１３ａに形成された、当該端部１３ａを上下方向に貫通するパイプ嵌込み孔１７と、このパイプ嵌込み孔１７に埋め込まれた、ボルト挿入孔１８ａ及びボルト螺着孔１８ｂ（図４参照）を周面に備えるジョイントパイプ１９と、このジョイントパイプ１９のボルト挿入孔１８ａに挿通された状態で梁勝ち梁部材１３の端部１３ａを横方向に貫通して設けられた長ボルト部材２２（図６参照）を用いて、梁勝ち梁部材１３の端部１３ａの両側の側面に各々締着固定された側面接合金物２３（図３参照）と、ジョイントパイプ１９のボルト螺着孔１８ｂに先端雄ネジ部２４ａが螺着されるボルト部材２４（図６参照）を用いて、梁勝ち梁部材１３の端部１３ａの端面に締着固定された端面接合金物２５（図３参照）と、ジョイントパイプ１９の開口端面１９ａを介してジョイントパイプ１９に挿入装着されて、先端側部分２６ａが梁勝ち梁部材１３の端部１３ａの上面及び／又は下面（本実施形態では、上面及び下面）から突出した状態で固定された柱接合棒状金物２６（図５参照）とを含んで構成される。
【００１９】
本実施形態では、これらのジョイントパイプ１９、一対の側面接合金物２３、端面接合金物２５、及び一対の柱接合棒状金物２６が、長ボルト部材２２やボルト部材２４を用いて、建設現場に搬入される前に、予め工場等において梁勝ち梁部材１３の端部１３ａに精度良く取り付けられている。
【００２０】
本実施形態では、建設現場における作業によって、搬入した梁勝ち梁部材１３を所定の箇所に設置した後に、これの端部１３ａに取り付けられた側面接合金物２３に、横方向梁部材１４，１５の端面に形成された接合溝１４ａ，１５ａを嵌め込んで、ドリフトピン２１を用いて横方向梁部材１４，１５が梁勝ち梁部材１３の端部１３ａの側面に接合固定されており、端面接合金物２５に、継足し梁部材１６の端面に形成された接合溝１６ａを嵌め込んで、ドリフトピン２１を用いて継足し梁部材１６が梁勝ち梁部材１３の端部１３ａの端面に接合固定されており、柱接合棒状金物２６の先端側部分２６ａに、柱部材１１，１２の端面に形成された嵌合孔１１ａ，１２ａ（図３参照）を嵌め込んで、ドリフトピン２１を用いて上下の柱部材１１，１２が梁勝ち梁部材１３の端部１３ａの上面及び下面に接合固定されていることで、柱梁接合構造１０が形成されている。
【００２１】
本実施形態では、柱梁接合構造１０を構成する梁勝ち梁部材１３は、図４にも示すように、例えば幅１０５ｍｍ程度、高さ２４０ｍｍ程度の大きさの縦長の矩形断面を有する木製の角材からなる。梁勝ち梁部材１３の端部１３ａには、これの上下の面を貫通して、ジョイントパイプ１９を埋め込むための、例えば３４ｍｍ程度の内径の円形断面を有するパイプ嵌込み孔１７が形成されている。
【００２２】
また、梁勝ち梁部材１３の端部１３ａの両側の側面には、当該側面からパイプ嵌込み孔１７に向けて穿孔された、長ボルト部材２２を挿通させるためのボルト挿通孔２７が、縦方向に所定の間隔をおいて各々３箇所に開口形成されている（図４参照）。これらのボルト挿通孔２７は、梁勝ち梁部材１３の側面側の部分が拡径した２段構造を備えている。これらの側面側の拡径部分２７ａに、後述する側面接合金物２３の当接プレート部２３ａから外側に突出して設けられた位置決め突部２３ｃ（図６）を装着することで、側面接合金物２３を梁勝ち梁部材１３の側面に安定した状態で位置決めさせて、側面接合金物２３を、長ボルト部材２２及びナット２２ａを用いて梁勝ち梁部材１３の側面に強固に締着固定できるようになっている。なお、ボルト挿通孔２７は、梁勝ち梁部材１３の端部１３ａの両側の側面に、各々１又は２箇所、或いは４箇所以上設けることもできる。
【００２３】
さらに、梁勝ち梁部材１３の端部１３ａの端面には、当該端面からパイプ嵌込み孔１７に向けて穿孔された、ボルト部材２４を挿通させるためのボルト挿通孔２８が、縦方向に所定の間隔をおいて３箇所に開口形成されている。これらのボルト挿通孔２８は、梁勝ち梁部材１３の側面のボルト挿通孔２７と同様に、梁勝ち梁部材１３の端面側の部分が拡径した２段構造を備えている。これらの端面側の拡径部分２８ａに、後述する端面接合金物２５の当接面部２５ａから外側に突出して設けられた位置決め突部２５ｃを装着することで、端面接合金物２５を梁勝ち梁部材１３の端面に安定した状態で位置決めさせて、端面接合金物２５を、ボルト部材２４を用いて梁勝ち梁部材１３の端面に強固に締着固定できるようになっている。なお、ボルト挿通孔２８は、梁勝ち梁部材１３の端部１３ａの端面に、１又は２箇所、或いは４箇所以上設けることもできる。
【００２４】
ここで、梁勝ち梁部材１３の端部１３ａの側面に開口するボルト挿通孔２７と、端面に開口するボルト挿通孔２８とは、後述するジョイントパイプ１９に設けられたボルト挿入孔１８ａやボルト螺着孔１８ｂと対応させて、高さ方向の位置をずらした状態で開口形成されている。
【００２５】
梁勝ち梁部材１３の端部１３のパイプ嵌込み孔１７に埋め込まれるジョイントパイプ１９は、図４及び図５に示すように、例えば金属材料からなる、両端が開口端面１９ａとして開口する中空円筒形状のパイプ部材である。ジョイントパイプ１９は、梁勝ち梁部材１３の高さと同様の長さを備えると共に、パイプ嵌込み孔１７の内径と同様の外径を備えていて、パイプ嵌込み孔１７にぴったりと嵌め込まれるようにして、上下の開口端面１９ａを梁勝ち梁部材１３の端部１３ａの上面及び下面と面一に配置した状態で、パイプ嵌込み孔１７に埋め込まれている。
【００２６】
ジョイントパイプ１９が、上下の開口端面１９ａを梁勝ち梁部材１３の端部１３ａの上面及び下面と面一に配置した状態で、パイプ嵌込み孔１７に埋め込まれていることで、ジョイントパイプ１９のボルト挿入孔１８ａやボルト螺着孔１８ｂを、梁部材１３の端部１３ａのボルト挿通孔２８，２７の位置とぴったりと合わせ易くなると共に、上下の柱部材１１，１２に作用する水平力に効果的に抵抗することが可能になる。ジョイントパイプ１９の上部の開口端面１９ａには、これの外周縁部から外側に突出して、食込み爪１９ｂが複数箇所に設けられている。これらの食込み爪１９ｂをパイプ嵌込み孔１７の開口縁部に食い込ませることで、ジョイントパイプ１９を、上下の開口端面１９ａを梁勝ち梁部材１３の端部１３ａの上面及び下面と面一に配置した状態で、容易にパイプ嵌込み孔１７に埋め込んで固定することが可能になる。
【００２７】
また、ジョイントパイプ１９の周面には、これの径方向に対向する位置に開口形成された各一対のボルト挿入孔１８ａが、ジョイントパイプ１９の軸方向に所定の間隔をおいて各々３箇所、合計６箇所に開口形成されている。さらに、ジョイントパイプ１９の周面には、各一対のボルト挿入孔１８ａが対向する径方向から、周方向に９０度離れた位置に開口形成されて、ボルト螺着孔１８ｂが、ジョイントパイプ１９の軸方向に所定の間隔をおいて３箇所に開口形成されている。なお、ボルト挿入孔１８ａやボルト螺着孔１８ｂは、梁勝ち梁部材１３の端部１３ａに設けられたボルト挿通孔２７，２８と同様に、上下方向に１又は２箇所、或いは４箇所以上設けることもできる。
【００２８】
本実施形態では、これらのボルト挿入孔１８ａやボルト螺着孔１８ｂは、ジョイントパイプ１９における軸方向の位置をずらした状態で、ジョイントパイプ１９の周面に形成されている。ボルト挿入孔１８ａとボルト螺着孔１８ｂとが、ジョイントパイプ１９における軸方向の位置をずらして形成されていることで、ボルト挿入孔１８ａに挿通される長ボルト部材２２と、ボルト螺着孔１８ｂに螺着されるボルト部材２４とを、互いに干渉させることなく、梁勝ち梁部材１３の端部１３ａに締着させることが可能になる。
【００２９】
そして、ジョイントパイプ１９は、各一対のボルト挿入孔１８ａを、梁勝ち梁部材１３の端部１３ａの両側の側面に各々３箇所づつ開口形成されたボルト挿通孔２７ａに合致させると共に、３箇所のボルト螺着孔１８ｂを、梁勝ち梁部材１３の端部１３ａの端面に開口形成された３箇所のボルト挿通孔２８ａに各々合致させた状態で、パイプ嵌込み孔１７に埋め込まれる。埋め込まれたジョイントパイプ１９には、上下の開口端面１９ａを介して、上下一対の柱接合棒状金物２６が各々挿入装着される。
【００３０】
柱接合棒状金物２６は、例えば金属材料からなり、ジョイントパイプ１９の内径と同様の外径を備えると共に、ジョイントパイプ１９よりも長さの短い円筒形状のスリーブ部材である。柱接合棒状金物２６は、ジョイントパイプ１９の内部に挿入配置される挿入側部分２６ｂと、挿入側部分２６ｂとは反対側の先端側部分２６ａとからなり、先端側部分２６ａを、梁勝ち梁部材１３の端部１３ａの上面や下面から突出させて所定の高さで立設させた状態で、ジョイントパイプ１９を介して梁勝ち梁部材１３の端部１３ａに固定される。柱接合棒状金物２６を、ジョイントパイプ１９を介して固定して梁勝ち梁部材１３の端部１３ａから所定の高さで立設させることにより、梁勝ち梁部材１３の断面（梁せい）に左右されずに、同一寸法の柱接合棒状金物２６を使用することが可能になる。
【００３１】
また、本実施形態では、柱接合棒状金物２６のジョイントパイプ１９に挿入装着される部分である挿入側部分２６ｂには、ジョイントパイプ１９のボルト挿入孔１８ａやボルト螺着孔１８ｂと合致する位置に、重ね合せボルト挿入孔２９ａ，２９ｂが設けられている。側面接合金物２３や端面接合金物２５を梁勝ち梁部材１３の端部１３ａに接合固定する長ボルト部材２２やボルト部材２４を用いて、側面接合金物２３や端面接合金物２５が梁勝ち梁部材１３の端部１３ａの側面や端面に固定される際に、これと同時に、柱接合棒状金物２６が、長ボルト部材２２やボルト部材２４を重ね合せボルト挿入孔２９ａ，２９ｂに挿入することによって、ジョイントパイプ１９に取り付けれるようになっている。
【００３２】
本実施形態では、ジョイントパイプ１９の周面に形成されたボルト挿入孔１８ａやボルト螺着孔１８ｂの位置と対応させて、梁勝ち梁部材１３の端部１３ａの上面側に取り付けられる柱接合棒状金物２６の挿入側部分２６ｂの周面には、径方向に対向する一対の第１重ね合せボルト挿入孔２９ａ及び１箇所の第２重ね合せボルト挿入孔２９ｂが開口形成されている。一方、梁勝ち梁部材１３の端部１３ａの下面側に取り付けられる柱接合棒状金物２６の挿入側部分２６ｂの周面には、径方向に対向する一対の第１重ね合せボルト挿入孔２９ａが開口形成されている（図５参照）。なお、第１重ね合せボルト挿入孔２９ａや第２重ね合せボルト挿入孔２９ｂは、柱接合棒状金物２６に一対以上又は１箇所以上設けることもできる。
【００３３】
さらに、本実施形態では、柱接合棒状金物２６の、梁勝ち梁部材１３の端部１３ａの上面や下面から立設する部分である先端側部分２６ａには、当該先端側部分２６ａを介して上下の柱部材１１，１２を各々梁勝ち梁部材１３の端部１３ａに接合する際に使用する、ドリフトピン２１を貫通係止させるためのドリフトピン係合孔３０が形成されている。
【００３４】
梁勝ち梁部材１３の端部１３ａの両側の側面に各々接合固定される側面接合金物２３は、図２、図３、及び図６に示すように、金属製のプレート部材に折り曲げ加工等を施すことによって、略コの字断面形状を有するように加工形成されたプレート状の接合金物である。側面接合金物２３は、略コの字断面形状の中間辺部による当接プレート部２３ａと、略コの字断面形状の一対の側辺部による張出しプレート部２３ｂとからなる。当接プレート部２３ａには、上述のように、梁勝ち梁部材１３の端部１３ａの両側の側面に形成されたボルト挿通孔２７の拡径部分２７ａに位置決め装着される位置決め突部２３ｃが、外側に突出して、縦方向に所定の間隔をおいて３箇所に形成されている。これらの位置決め突部２３ｃの中央部分には、ボルト締着孔２３ｄ（図６参照）が開口形成されており、側面接合金物２３を梁勝ち梁部材１３の側面に固定するための長ボルト部材２２の頭部やナット２２ａは、必要に応じてワッシャー部材を介在させた状態で、これらの位置決め突部２３ｃの中空内部において締着されるようになっている。なお、ボルト締着孔２３ｄが開口形成された位置決め突部２３ｃは、梁勝ち梁部材１３の端部１３ａの両側の側面に形成されたボルト挿通孔２７と同様に、各々１又は２箇所、或いは４箇所以上設けることもできる。
【００３５】
また、側面接合金物２３の、略コの字断面形状の一対の側辺部による張出しプレート部２３ｂには、各々、当該側面接合金物２３を介して両側の横方向梁部材１４，１５を梁勝ち梁部材１３の側面に接合する際に使用する、ドリフトピン２１を係止させるためのドリフトピン係合孔３１やドリフトピン係合切欠き３２が、複数箇所に形成されている。
【００３６】
梁勝ち梁部材１３の端部１３ａの端面に接合固定される端面接合金物２５は、側面接合金物２３と同様に、金属製のプレート部材に折り曲げ加工等を施すことによって、略コの字断面形状を有するように加工形成されたプレート状の接合金物である。端面接合金物２５は、略コの字断面形状の中間辺部による当接プレート部２５ａと、略コの字断面形状の一対の側辺部による張出しプレート部２５ｂとからなる。当接プレート部２５ａには、上述のように、梁勝ち梁部材１３の端部１３ａの端面に形成されたボルト挿通孔２８の拡径部分２８ａに位置決め装着される位置決め突部２５ｃが、外側に突出して、縦方向に所定の間隔をおいて３箇所に形成されている。これらの位置決め突部２５ｃの中央部分には、ボルト締着孔２５ｄ（図６参照）が開口形成されており、端面接合金物２５を梁勝ち梁部材１３の端面に固定するためのボルト部材２４の頭部は、必要に応じてワッシャー部材を介在させた状態で、これらの位置決め突部２５ｃの中空内部において締着されるようになっている。なお、ボルト締着孔２５ｄが開口形成された位置決め突部２５ｃは、梁勝ち梁部材１３の端部１３ａの端面に形成されたボルト挿通孔２８と同様に、１又は２箇所、或いは４箇所以上設けることもできる。
【００３７】
また、端面接合金物２５の、略コの字断面形状の一対の側辺部による張出しプレート部２５ｂには、各々、当該端面接合金物２５を介して継足し梁部材１６を梁勝ち梁部材１３の端面に接合する際に使用する、ドリフトピン２１を係止させるためのドリフトピン係合孔３１やドリフトピン係合切欠き３２が、複数箇所に形成されている。
【００３８】
本実施形態では、柱梁接合構造１０を構成する柱部材１１，１２は、図１〜図３に示すように、例えば縦横１０５ｍｍ程度の大きさの正方形断面を有する木製の角材からなる。梁勝ち梁部材１３の端部１３ａの上面から垂直上方に立設して取り付けられる上方柱部材１１には、これの下端面の中央部分に開口すると共に、軸方向に穿孔形成された嵌合孔１１ａが設けられている。嵌合孔１１ａは、梁勝ち梁部材１３の端部１３ａの上面から突出する柱接合棒状金物２６の先端側部分２６ａの外径と同様の内径を備えており、嵌合孔１１ａには、柱接合棒状金物２６の先端側部分２６ａが、ぴったりと嵌め込まれるようにして装着される。上方柱部材１１の下端部には、一対の対向する側面の間を貫通するようにして、嵌合孔１１ａに装着された際の柱接合棒状金物２６の先端側部分２６ａに形成されたドリフトピン係合孔３０と合致する位置に、柱側ドリフトピン係合孔３３が穿孔形成されている。
【００３９】
梁勝ち梁部材１３の端部１３ａの下面から垂直下方に立設して取り付けられる下方柱部材１２には、これの上端面の中央部分に開口すると共に、軸方向に穿孔形成された嵌合孔１２ａが設けられている。嵌合孔１２ａは、梁勝ち梁部材１３の端部１３ａの下面から突出する柱接合棒状金物２６の先端側部分２６ａの外径と同様の内径を備えており、嵌合孔１２ａには、柱接合棒状金物２６の先端側部分２６ａが、ぴったりと嵌め込まれるようにして装着される。下方柱部材１２の下端部には、一対の対向する側面の間を貫通するようにして、嵌合孔１２ａに装着された際の柱接合棒状金物２６の先端側部分２６ａに形成されたドリフトピン係合孔３０と合致する位置に、柱側ドリフトピン係合孔３３が穿孔形成されている。
【００４０】
本実施形態では、柱梁接合構造１０を構成する左右一対の横方向梁部材１４，１５は、梁勝ち梁部材１３と同様に、例えば幅１０５ｍｍ程度、高さ２４０ｍｍ程度の大きさの縦長の矩形断面を有する木製の角材からなる。これらの横方向梁部材１４，１５の、梁勝ち梁部材１３の端部１３ａの側面と接合される端面には、各々、当該端面と垂直な方向に切り込まれた一対の平行な接合溝１４ａ，１５ａを含む、略コの字断面形状の切欠き凹部１４ｂ，１５ｂが形成されている。すなわち、切欠き凹部１４ｂ，１５ｂは、横方向梁部材１４，１５の端面に沿って薄く切り欠かれた、略コの字断面形状の中間辺部による端面切欠き部１４ｃ，１５ｃと、端面切欠き部１４ｃ，１５ｃの両端部から横方向梁部材１４，１５の軸方向に向けて垂直に切り込まれた、略コの字断面形状の一対の側辺部による接合溝１４ａ，１５ａとからなる。
【００４１】
横方向梁部材１４，１５を、側面接合金物２３を介して梁勝ち梁部材１３の端部１３ａの両側の側面に各々接合固定する際に、梁勝ち梁部材１３の側面に固定された側面接合金物２３の一対の張出しプレート部２３ｂは、横方向梁部材１４，１５の端面に形成された切欠き凹部１４ｂ，１５ｂの一対の接合溝１４ａ，１５ａに、各々ぴったりと嵌め込まれるようにして装着される。また側面接合金物２３の当接プレート部２３ａは、切欠き凹部１４ｂ，１５ｂの端面切欠き部１４ｃ，１５ｃに納められた状態で取り付けられる。
【００４２】
また、横方向梁部材１４，１５の、切欠き凹部１４ｂ，１５ｂが形成された端面と近接する部分の側面には、両側の側面の間を貫通するようにして、接合溝１４ａ，１５ａに装着された側面接合金物２３の張出しプレート部２３ｂに形成された複数のドリフトピン係合孔３１やドリフトピン係合切欠３２のうちの、選択された一部のドリフトピン係合孔３１やドリフトピン係合切欠３２と合致する位置に、梁側ドリフトピン係合孔３４が穿孔形成されている。
【００４３】
本実施形態では、柱梁接合構造１０を構成する継足し梁部材１６もまた、梁勝ち梁部材１３と同様に、例えば幅１０５ｍｍ程度、高さ２４０ｍｍ程度の大きさの縦長の矩形断面を有する木製の角材からなる。継足し梁部材１６の、梁勝ち梁部材１３の端面と接合される端面には、当該端面と垂直な方向に切り込まれた一対の平行な接合溝１６ａを含む、略コの字断面形状の切欠き凹部１６ｂが形成されている。すなわち、切欠き凹部１６ｂは、継足し梁部材１６の端面に沿って薄く切り欠かれた、略コの字断面形状の中間辺部による端面切欠き部１６ｃと、端面切欠き部１６ｃの両端部から継足し梁部材１６の軸方向に向けて垂直に切り込まれた、略コの字断面形状の一対の側辺部による接合溝１６ａとからなる。
【００４４】
継足し梁部材１６を、端面接合金物２５を介して梁勝ち梁部材１３の端面に接合固定する際に、梁勝ち梁部材１３の端面に固定された端面接合金物２５の一対の張出しプレート部２５ｂは、継足し梁部材１６の端面に形成された切欠き凹部１６ｂの一対の接合溝１６ａに、各々ぴったりと嵌め込まれるようにして装着される。また端面接合金物２５の当接プレート部２５ａは、切欠き凹部１６ｂの端面切欠き部１６ｃに納められた状態で取り付けられる。
【００４５】
また、継足し梁部材１６の、切欠き凹部１６ｂが形成された端面と近接する部分の側面には、両側の側面の間を貫通するようにして、接合溝１６ａに装着された端面接合金物２５の張出しプレート部２５ｂに形成された複数のドリフトピン係合孔３１やドリフトピン係合切欠３２のうちの、選択された一部のドリフトピン係合孔３１やドリフトピン係合切欠３２と合致する位置に、梁側ドリフトピン係合孔３４が穿孔形成されている。
【００４６】
そして、上述の構成を備える本実施形態の梁勝ち接合部における柱梁接合構造１０によれば、ドリフトピン２１を除く、接合金物としての側面接合金物２３と、端面接合金物２５と、柱接合棒状金物２６とを、ジョイントパイプ１９と長ボルト部材２２やボルト部材２４を用いて、予め工場等において、梁勝ち梁部材１３の端部１３ａに、容易に且つ精度良く一体として取り付けておくことができる。
【００４７】
すなわち、本実施形態では、図４〜図６に示すように、例えば梁勝ち梁部材１３の端部１３ａのパイプ嵌込み孔１７にジョイントパイプ１９を埋め込んだ後に、ジョイントパイプ１９に柱接合棒状金物２６を挿入して位置決めすると共に、ボルト挿通孔２７，２８の拡径部分２７ａ，２８ａや接合金物２３，２５の位置決め突部２３ｃ，２５ｃを介して、側面接合金物２３や端面接合金物２５を梁勝ち梁部材１３の端部１３ａに位置決めした状態で、長ボルト部材２２やボルト部材２４を、合致させたボルト挿入孔１８ａ，２９ａやボルト螺着孔１８ｂ，２９ｂやボルト挿通孔２７，２８に挿通して締着させることで、これらの接合金物２３，２５，２６を、強固に且つ安定した状態で、梁勝ち梁部材１３の端部１３ａに精度良く固定しておくことができる。
【００４８】
一方、建設現場では、接合金物２３，２５，２６が端部１３ａに予め精度良く取り付けられた状態で搬入された梁勝ち梁部材１３を、所定の箇所に設置した後に、図１〜図３に示すように、端部１３ａの側面に取り付けられた側面接合金物２３に、横方向梁部材１４，１５の端面に形成された接合溝１４ａ，１５ａを嵌め込んで、ドリフトピン２１を用いて左右一対の横方向梁部材１４，１５を梁勝ち梁部材１３の端部１３ａに接合固定すると共に、端部１３ａの端面に取り付けられた端面接合金物２５に、継足し梁部材１６の端面に形成された接合溝１６ａを嵌め込んで、ドリフトピン２１を用いて継足し梁部材１６を梁勝ち梁部材１３の端部１３ａに接合固定し、且つ上下一対の柱接合棒状金物２６の先端側部分２６ａに、柱部材１１，１２の端面に形成された嵌合孔１１ａ，１２ａを嵌め込んで、ドリフトピン２１を用いて上下一対の柱部材１１，１２を梁勝ち梁部材１３の端部１３ａの上面及び下面に接合固定するだけの簡易な作業によって、梁勝ち梁部材１３の端部１３ａに一対の柱部材１１，１２と一対の横方向梁部材１４，１５と継足し梁部材１６とが一体として接合された、品質の良い梁勝ち接合部２０を、効率良く形成することが可能になる。
【００４９】
したがって、本実施形態の梁勝ち接合部における柱梁接合構造１０によれば、柱部材１１，１２と横方向梁部材１４，１５と継足し梁部材１６とが接合される梁勝ち梁部材１３の端部１３ａに、予め工場等において殆どの接合金物２３，２５，２６を容易に且つ精度良く取り付けておくことができ、建設現場では、設置した梁勝ち梁部材１３に対して柱部材１１，１２や横方向梁部材１４，１５や継足し梁部材部材１６を位置決めした後に、ドリフトピン２１を打ち込むだけの簡易な作業によって、多くの手間を要することなく、品質の良い梁勝ち接合部２０を効率良く形成することが可能になる。
【００５０】
なお、本発明は上記実施形態に限定されることなく種々の変更が可能である。例えば、本発明の対象となる梁勝ち接合部は、横方向梁部材が、梁勝ち梁部材の端部の両側の側面に接合されている必要は必ずしも無く、一方の側面に１本のみ接合されているものであっても良い。
【符号の説明】
【００５１】
１０  梁勝ち接合部における柱梁接合構造
１１  上方柱部材
１１ａ  嵌合孔
１２  下方柱部材
１２ａ  嵌合孔
１３  梁勝ち梁部材
１３ａ  端部
１４，１５  横方向梁部材
１４ａ，１５ａ  接合溝
１６  継足し梁部材
１７  パイプ嵌込み孔
１８ａ  ボルト挿入孔
１８ｂ  ボルト螺着孔
１９  ジョイントパイプ
２０  梁勝ち接合部
２１  ドリフトピン
２２  長ボルト部材
２３  側面接合金物
２３ｂ  張出しプレート部
２４  ボルト部材
２５  端面接合金物
２５ｂ  張出しプレート部
２６  柱接合棒状金物
２６ａ  先端側部分
２６ｂ  挿入側部分
２７，２８  ボルト挿通孔
２９ａ  第１重ね合せボルト挿入孔
２９ｂ  第２重ね合せボルト挿入孔
３０，３１  ドリフトピン係合孔
３２  ドリフトピン係合切欠
３３  柱側ドリフトピン係合孔
３４  梁側ドリフトピン係合孔
【図１】
0005822262.tif 000002
【図２】
0005822262.tif 000003
【図３】
0005822262.tif 000004
【図４】
0005822262.tif 000005
【図５】
0005822262.tif 000006
【図６】
0005822262.tif 000007